(57)【特許請求の範囲】
【請求項１】
光ディスクに記録されているデータを再生する光ディスク装置において、
第１の光量かつ第１の周波数のレーザ光またはこの第１の光量よりも大きな第２の光量かつ第１の周波数のレーザ光またはこの第２の光量よりも大きな第３の光量かつ第１の周波数よりも短い第２の周波数のレーザ光を発生するレーザ光発生手段と、
このレーザ光発生手段から発生される第１から第３のいずれかの光量のレーザ光を光ディスクに集光する集光手段と、
この集光手段をその光軸方向に移動する移動手段と、
上記レーザ光発生手段を駆動することにより、上記レーザ光発生手段から発生される第１から第３のいずれかの光量のレーザ光を光ディスクに照射することによって得られる反射光量の振幅を検知する検知手段と、
上記光ディスクが装填された際に、上記レーザ光発生手段を駆動することにより、第１の光量かつ第１の周波数のレーザ光を発生する第１の処理手段と、
この第１の処理手段により処理されている状態で、上記検知手段により検知される反射光量の振幅により、第１の光量かつ第１の周波数のレーザ光を用いて再生が行われる光ディスクが装填されているか否かを判断する第１の判断手段と、
この第１の判断手段により第１の光量かつ第１の周波数のレーザ光を用いて再生が行われる光ディスクが装填されていると判断された際、その第１の光量のレーザ光を用いて再生が行われる第１の実行手段と、
上記第１の判断手段により第１の光量かつ第１の周波数のレーザ光を用いて再生が行われる光ディスクが装填されていないと判断された際、上記レーザ光発生手段を駆動することにより、第１の光量よりも大きい第２の光量かつ第１の周波数のレーザ光を発生する第２の処理手段と、
この第２の処理手段により処理されている状態で、上記検知手段により検知される反射光量の振幅により、第２の光量かつ第１の周波数のレーザ光を用いて再生が行われる光ディスクが装填されているか否かを判断する第２の判断手段と、
この第２の判断手段により第２の光量かつ第１の周波数のレーザ光を用いて再生が行われる光ディスクが装填されていると判断された際、その第２の光量かつ第１の周波数のレーザ光を用いて再生が行われる第２の実行手段と、
上記第２の判断手段により第２の光量のレーザ光を用いて再生が行われる光ディスクが装填されていないと判断された際、上記レーザ光発生手段を駆動することにより、第２の光量よりも大きい第３の光量かつ第１の周波数よりも短い第２の周波数のレーザ光を発生する第３の処理手段と、
この第３の処理手段により処理されている状態で、上記検知手段により検知される反射光量の振幅により、第３の光量かつ第２の周波数のレーザ光を用いて再生が行われる光ディスクが装填されているか否かを判断する第３の判断手段と、
この第３の判断手段により第３の光量かつ第２の周波数のレーザ光を用いて再生が行われる光ディスクが装填されていると判断された際、その第３の光量かつ第２の周波数のレーザ光を用いて再生が行われる第３の実行手段と、
を具備したことを特徴とする光ディスク装置。
【発明の詳細な説明】
【０００１】
【発明の属する技術分野】
この発明は、光ディスクに対してデータを記録したり、記録されているデータを再生する光ディスク装置に関する。
【０００２】
【従来の技術】
従来、光学ヘッドに搭載された半導体レーザから出力される光ビームにより、記録トラックを有する光ディスクにデータを記録したり、あるいは光ディスクに記録されているデータを再生する光ディスク装置が実用化されている。
【０００３】
このような光ディスク装置では、従来せいぜい２種類の光ディスクを扱う程度であり、その光ディスクの種類は光ディスクが装填されているカートリッジの有無やカートリッジについているＩＤホール等の別センサにより判定していた。
【０００４】
扱う光ディスクの種類が増えた場合、従来の方法では、判定しきれなかったり、また、ＩＤホール用センサを増すことによりコストアップになってしまう。また、本来、カートリッジに入っていた光ディスクを外してしまうような事態となっても判定が誤ってしまう。もし、誤った場合、各々の光ディスクによる最適な光出力に対し著しく大きな出力を光ディスクに照射してしまう恐れがあり、そのため、特に記録用光ディスクの場合は情報データの破壊をしてしまう恐れがある。
【０００５】
【発明が解決しようとする課題】
上記のような光ディスク装置では、特別なセンサを用いたり、装着された光ディスクに対して、適正値以上の光量が光ディスクに照射されてしまう恐れがあり、光ディスク上のデータを破壊する恐れがあるという欠点があった。
【０００６】
そこで、この発明は、特別なセンサを用いずとも、装着された光ディスクに対して、適正値以上の光量が光ディスクに照射することが避けられ、光ディスク上のデータを破壊する恐れをなくすことができる光ディスク装置を提供することを目的とする。
【０００７】
【課題を解決するための手段】
この発明の光ディスク装置は、光ディスクに記録されているデータを再生するものにおいて、第１の光量かつ第１の周波数のレーザ光またはこの第１の光量よりも大きな第２の光量かつ第１の周波数のレーザ光またはこの第２の光量よりも大きな第３の光量かつ第１の周波数よりも短い第２の周波数のレーザ光を発生するレーザ光発生手段と、このレーザ光発生手段から発生される第１から第３のいずれかの光量のレーザ光を光ディスクに集光する集光手段と、この集光手段をその光軸方向に移動する移動手段と、上記レーザ光発生手段を駆動することにより、上記レーザ光発生手段から発生される第１から第３のいずれかの光量のレーザ光を光ディスクに照射することによって得られる反射光量の振幅を検知する検知手段と、上記光ディスクが装填された際に、上記レーザ光発生手段を駆動することにより、第１の光量かつ第１の周波数のレーザ光を発生する第１の処理手段と、この第１の処理手段により処理されている状態で、上記検知手段により検知される反射光量の振幅により、第１の光量かつ第１の周波数のレーザ光を用いて再生が行われる光ディスクが装填されているか否かを判断する第１の判断手段と、この第１の判断手段により第１の光量かつ第１の周波数のレーザ光を用いて再生が行われる光ディスクが装填されていると判断された際、その第１の光量のレーザ光を用いて再生が行われる第１の実行手段と、上記第１の判断手段により第１の光量かつ第１の周波数のレーザ光を用いて再生が行われる光ディスクが装填されていないと判断された際、上記レーザ光発生手段を駆動することにより、第１の光量よりも大きい第２の光量かつ第１の周波数のレーザ光を発生する第２の処理手段と、この第２の処理手段により処理されている状態で、上記検知手段により検知される反射光量の振幅により、第２の光量かつ第１の周波数のレーザ光を用いて再生が行われる光ディスクが装填されているか否かを判断する第２の判断手段と、この第２の判断手段により第２の光量かつ第１の周波数のレーザ光を用いて再生が行われる光ディスクが装填されていると判断された際、その第２の光量かつ第１の周波数のレーザ光を用いて再生が行われる第２の実行手段と、上記第２の判断手段により第２の光量のレーザ光を用いが行われる光ディスクが装填されていないと判断された際、上記レーザ光発生手段を駆動することにより、第２の光量よりも大きい第３の光量かつ第１の周波数よりも短い第２の周波数のレーザ光を発生する第３の処理手段と、この第３の処理手段により処理されている状態で、上記検知手段により検知される反射光量の振幅により、第３の光量かつ第２の周波数のレーザ光を用いて再生が行われる光ディスクが装填されているか否かを判断する第３の判断手段と、この第３の判断手段により第３の光量かつ第２の周波数のレーザ光を用いて再生が行われる光ディスクが装填されていると判断された際、その第３の光量かつ第２の周波数のレーザ光を用いて再生が行われる第３の実行手段とから構成される。
【００１１】
【発明の実施の形態】
以下、この発明の一実施例について図面を参照して説明する。
図１は、情報記録装置としての光ディスク装置を示すものである。この光ディスク装置は光ディスク１に対し集束光を用いてデータ（情報）の記録、あるいは記録されているデータの再生を行うものである。
【００１２】
上記光ディスク１としては、種々のものが装填されるようになっている。
たとえば、光ディスク１としては、再生専用のＣＤ（コンパクトディスク）、データ記録用のＣＤ−ＲＯＭ、一度だけ書込みが行えるＣＤ−Ｒ、再生専用のＤＶＤ（デジタルビデオディスク）−ＲＯＭ、記録再生が繰り返し行えるＤＶＤ−ＲＡＭ、一度だけ書込みが行えるＤＶＤ−Ｒが装填されるようになっている。
【００１３】
たとえば、ＣＤ、ＣＤ−ＲＯＭに対しては、後述する半導体レーザ発振器１９から発生される光ビームが光量（０．３ｍＷ）で波長（７８０ｎｍ）となっており、ＤＶＤ−ＲＯＭに対しては、後述する半導体レーザ発振器１９から発生される光ビームが光量（０．５ｍＷ）で波長（６８０ｎｍ）となっており、ＣＤ−Ｒに対しては、後述する半導体レーザ発振器１９から発生される光ビームが光量（０．５ｍＷ）で波長（７８０ｎｍ）となっており、ＤＶＤ−ＲＡＭ、ＤＶＤ−Ｒに対しては、後述する半導体レーザ発振器１９から発生される光ビームが光量（１．０ｍＷ）で波長（６８０ｎｍ）となっている。
【００１４】
光ディスク１の表面には、スパイラル状あるいは同心円状にグルーブとランドが形成されている。
この光ディスク１は、穴空きによるものであっても、相変化を利用している記録層や多相記録膜のものを用いても良い。また、光磁気ディスクを用いても良い。上記の場合、光学ヘッド等の構成もそれぞれ適当に変更される。またここでは、光ディスク上で信号を記録してある所をトラックと呼び、トラックは、グルーブおよびランド、またはグルーブのみ、ランドのみで形成されている。
【００１５】
また、図１において、上記光ディスク１は、モータ３によって例えば一定の速度で回転される。このモータ３は、モータ制御回路４によって制御されている。
上記光ディスク１に対する情報の記録、再生は、光学ヘッド５によって行われるようになっている。この光学ヘッド５は、リニアモータ６の可動部を構成する駆動コイル７に固定されており、この駆動コイル７はリニアモータ制御回路８に接続されている。
【００１６】
このリニアモータ制御回路８には、速度検出器９が接続されており、光学ヘッド５の速度信号をリニアモータ制御回路８に送るようになっている。
また、リニアモータ６の固定部には、図示しない永久磁石が設けられており、上記駆動コイル７がリニアモータ制御回路８によって励磁されることにより、光学ヘッド５は、光ディスク１の半径方向に移動されるようになっている。
【００１７】
上記光学ヘッド５には、対物レンズ１０が図示しないワイヤあるいは板ばねによって支持されており、この対物レンズ１０は、駆動コイル１１によってフォーカシング方向（レンズの光軸方向）に移動され、駆動コイル１２によってトラッキング方向（レンズの光軸と直交する方向）に移動可能とされている。
【００１８】
また、レーザ制御回路１３によって半導体レーザ発振器１９が駆動され、後述するＣＰＵ３０からの切換信号に応じて、種々の光ディスク１に対応したレーザ光を発生するようになっている。レーザ制御回路１３は、半導体レーザ発振器１９のモニタ用のフォトダイオードＰＤからのモニタ電流に応じて半導体レーザ発振器１９によるレーザ光の光量を補正するようになっている。
【００１９】
レーザ制御回路１３は、図示しないＰＬＬ回路からの記録用のクロック信号に同期して動作するようになっている。このＰＬＬ回路は、発振器（図示しない）からの基本クロック信号を光ディスク１上の記録位置に対応した周波数に分周して、記録用のクロック信号を発生するものである。
【００２０】
そして、レーザ制御回路１３のレーザ駆動回路４５によって駆動される半導体レーザ発振器１９より発生されたレーザ光は、コリメータレンズ２０、ハーフプリズム２１、対物レンズ１０を介して光ディスク１上に照射され、この光ディスク１からの反射光は、対物レンズ１０、ハーフプリズム２１、集光レンズ２２、およびシリンドリカルレンズ２３を介して光検出器２４に導かれる。
【００２１】
上記光検出器２４は、４分割の光検出セル２４ａ、２４ｂ、２４ｃ、２４ｄによって構成されている。
上記光検出器２４の光検出セル２４ａの出力信号は、増幅器２５ａを介して加算器２６ａの一端に供給され、光検出セル２４ｂの出力信号は、増幅器２５ｂを介して加算器２６ｂの一端に供給され、光検出セル２４ｃの出力信号は、増幅器２５ｃを介して加算器２６ａの他端に供給され、光検出セル２４ｄの出力信号は、増幅器２５ｄを介して加算器２６ｂの他端に供給されるようになっている。
【００２２】
上記光検出器２４の光検出セル２４ａの出力信号は、増幅器２５ａを介して加算器２６ｃの一端に供給され、光検出セル２４ｂの出力信号は、増幅器２５ｂを介して加算器２６ｄの一端に供給され、光検出セル２４ｃの出力信号は、増幅器２５ｃを介して加算器２６ｄの他端に供給され、光検出セル２４ｄの出力信号は、増幅器２５ｄを介して加算器２６ｃの他端に供給されるようになっている。
【００２３】
上記加算器２６ａの出力信号は差動増幅器ＯＰ２の反転入力端に供給され、この差動増幅器ＯＰ２の非反転入力端には上記加算器２６ｂの出力信号が供給される。これにより、差動増幅器ＯＰ２は、上記加算器２６ａ、２６ｂの差に応じてフォーカス点に関する信号（フォーカス誤差信号）をフォーカシング制御回路２７に供給するようになっている。このフォーカシング制御回路２７の出力信号は、フォーカシング駆動コイル１１に供給され、レーザ光が光ディスク１上で常時ジャストフォーカスとなるように制御される。
【００２４】
上記加算器２６ｃの出力信号は差動増幅器ＯＰ１の反転入力端に供給され、この差動増幅器ＯＰ１の非反転入力端には上記加算器２６ｄの出力信号が供給される。これにより、差動増幅器ＯＰ１は、上記加算器２６ｃ、２６ｄの差に応じてトラッキング誤差信号をトラッキング制御回路２８に供給するようになっている。このトラッキング制御回路２８は、差動増幅器ＯＰ１から供給されるトラッキング誤差信号に応じてトラック駆動信号を作成するものである。
【００２５】
上記トラッキング制御回路２８から出力されるトラック駆動信号は、前記トラッキング方向の駆動コイル１２に供給される。また、上記トラッキング制御回路２８で用いられたトラッキング誤差信号は、リニアモータ制御回路８に供給されるようになっている。
【００２６】
上記のようにフォーカシング、トラッキングを行った状態での光検出器２４の各光検出セル２４ａ、〜２４ｄの出力の和信号、つまり加算器２６ｃ、２６ｄからの出力信号を加算器２６ｅで加算した信号は、トラック上に形成されたピット（記録情報）からの反射率の変化が反映されている。この信号は、データ再生回路１８に供給され、このデータ再生回路１８において、記録されているデータが再生される。
【００２７】
このデータ再生回路１８で再生された再生データはバス２９を介してエラー訂正回路３２に出力される。エラー訂正回路３２は、再生データ内のエラー訂正コードＥＣＣによりエラーを訂正したり、あるいはインターフェース回路３５から供給される記録データにエラー訂正コードＥＣＣを付与してメモリ３４に出力する。
【００２８】
このエラー訂正回路３２でエラー訂正された再生データはバス２９およびインターフェース回路３５を介して外部装置としての光ディスク制御装置３６に出力される。光ディスク制御装置３６からは記録データがインターフェース回路３５およびバス２９を介してエラー訂正回路３２に供給される。
【００２９】
また、上記トラッキング制御回路２８で対物レンズ１０が移動されている際、リニアモータ制御回路８は、対物レンズ１０が光学ヘッド５内の中心位置近傍に位置するようにリニアモータ６つまり光学ヘッド５を移動するようになっている。
【００３０】
また、この光ディスク装置にはそれぞれフォーカシング制御回路２７、トラッキング制御回路２８、リニアモータ制御回路８と光ディスク装置の全体を制御するＣＰＵ３０との間で情報の授受を行うために用いられるＤ／Ａ変換器３１、Ａ／Ｄ変換器３２が設けられている。
【００３１】
上記モータ制御回路４、リニアモータ制御回路８、レーザ制御回路１３、データ再生回路１８、フォーカシング制御回路２７、トラッキング制御回路２８、エラー訂正回路３３等は、バス２９を介してＣＰＵ３０によって制御されるようになっており、このＣＰＵ３０はメモリ３４に記録されたプログラムによって所定の動作を行うようになされている。
【００３２】
また、上記光ディスク１がこの光ディスク装置に装填され、最内周部の反射光量を読取る際、光検出器２４の各光検出セル２４ａ、〜２４ｄの出力の和信号、つまり加算器２６ｅの加算信号が、Ａ／Ｄ変換器３２およびバス２９を介してＣＰＵ３０に供給されるようになっている。
【００３３】
上記レーザ制御回路１３は、図２に示すように、発光量コントロール回路４１、モニタ光検出回路４２、発光誤差信号発生回路４３、変調回路４４、およびレーザ駆動回路４５から構成されている。
【００３４】
発光量コントロール回路４１は、ＣＰＵ３０からの切換信号に応じて発光量に設定する回路である。
モニタ光検出回路４２は、モニタ用のフォトダイオードＰＤからのモニタ電流の電流値を検出するものである。
【００３５】
発光誤差信号発生回路４３は、発光量コントロール回路４１により設定される発光量に応じた電圧値をレーザ駆動回路４５に印加するとともに、モニタ光検出回路４２からの検出電流値に応じてレーザ駆動回路４５に印加する電圧値を補正するようになっている。
【００３６】
すなわち、発光誤差信号発生回路４３は、発光量コントロール回路４１からの設定内容に応じて、最小光量（０．３ｍＷ）で最高波長（７８０ｎｍ）、最小光量より１段階上の光量（０．５ｍＷ）で最高波長よりも低い波長（６５０ｎｍ）、最小光量より２段階上の光量（０．５ｍＷ）で最高波長（７８０ｎｍ）、あるいは最小光量より２段階上の光量（１．０ｍＷ）で最高波長よりも低い波長（６５０ｎｍ）に半導体レーザの発光を設定し、この設定に応じてレーザ駆動回路４５を制御して、半導体レーザ発振器１９を駆動するようになっている。
【００３７】
変調回路４４は、エラー訂正回路３３から供給される記録データを記録に適した信号つまり２−７変調データに変調するものである。
レーザ駆動回路４５は、再生時、発光誤差信号発生回路４３から印加される電圧値に対応した駆動電流で光学ヘッド５内の半導体レーザ発振器１９を駆動するものであり、データの記録時、発光誤差信号発生回路４３から印加される電圧値に対応した駆動電流で光学ヘッド５内の半導体レーザ発振器１９を駆動している状態で、変調回路１４により変調された２−７変調データに応じて、記録用の駆動電流で光学ヘッド５内の半導体レーザ発振器１９を駆動するものである。
【００３８】
次に、上記のような構成において、光ディスク１の装填時の半導体レーザ発振器１９の光量制御処理について、図３に示すフローチャートを参照しつつ説明する。
【００３９】
すなわち、光ディスク１が装填された際（ＳＴ１）、ＣＰＵ３０からの切換信号により、発光量コントロール回路４１は最小光量の発光に設定され、その設定内容が発光誤差信号発生回路４３に供給される。これにより、誤差信号発生回路４３は、発光量コントロール回路４１からの設定内容に応じて、最小光量（０．３ｍＷ）で最高波長（７８０ｎｍ）に半導体レーザ発振器１９の発光を設定し、この設定に応じてレーザ駆動回路４５を制御して、半導体レーザ発振器１９を駆動する（ＳＴ２）。
【００４０】
この状態で、ＣＰＵ３０は、光学ヘッド５を移動することにより、光ディスク１の最内周に光学ヘッド５からの光ビームが照射される状態に設定し、フォーカッシング制御回路２７を制御して駆動コイル１１を励磁することにより、フォーカス引込みを行い、フォーカスがあった状態で、加算器２６ｅからＡ／Ｄ変換器３２を介して供給される反射光量に対応したデジタル値がＣＤ、ＣＤ−ＲＯＭ、ＤＶＤ−ＲＯＭの光ディスク１に適正か否かを判断する（ＳＴ３、４）。
【００４１】
この際、光ディスク１がＣＤ、ＣＤ−ＲＯＭ、ＤＶＤ−ＲＯＭの場合、反射率は９０〜１００％で、光ディスク１が、ＤＶＤ−Ｒ、ＣＤ−Ｒの場合、反射率は７０％で、光ディスク１がＤＶＤ−ＲＡＭの場合、反射率は３０％となっているため、区別できるようになっている。
【００４２】
ＣＰＵ３０により、反射光量に対応したデジタル値がＣＤ、ＣＤ−ＲＯＭ、ＤＶＤ−ＲＯＭの光ディスク１に適正と判断された際、半導体レーザ発振器１９の発光設定完了となる（ＳＴ５）。
【００４３】
この後、装填されたＣＤ、ＣＤ−ＲＯＭ、ＤＶＤ−ＲＯＭの光ディスク１に対する記録処理あるいは再生処理が行われる（ＳＴ６）。この際、はじめ最高波長（７８０ｎｍ）で再生を行い、ＯＫであればＣＤ、ＣＤ−ＲＯＭ、再生不可の場合ＤＶＤ−ＲＯＭなので、最高波長よりも短い波長（６５０ｎｍ）に切換えを行う。さらに再生パワーを０．５ｍＷに切換える。
【００４４】
上記ステップ４で反射光量に対応したデジタル値がＣＤ、ＣＤ−ＲＯＭ、ＤＶＤ−ＲＯＭの光ディスク１に適正と判断されなかった際、ＣＰＵ３０は発光量コントロール回路４１の設定を切換え、誤差信号発生回路４３により、最小光量より１段階上の光量（０．５ｍＷ）で最高波長（７８０ｎｍ）に半導体レーザ発振器１９の発光を設定し、この設定に応じてレーザ駆動回路４５を制御して、半導体レーザ発振器１９を駆動する（ＳＴ７）。
【００４５】
この状態で、ＣＰＵ３０は、光学ヘッド５を移動することにより、光ディスク１の最内周に光学ヘッド５からの光ビームが照射される状態に設定し、フォーカッシング制御回路２７を制御して駆動コイル１１を励磁することにより、フォーカス引込みを行い、フォーカスがあった状態で、加算器２６ｅからＡ／Ｄ変換器３２を介して供給される反射光量に対応したデジタル値がＣＤ−Ｒ、ＤＶＤ−Ｒの光ディスク１に適正か否かを判断する（ＳＴ８、９）。
【００４６】
ＣＰＵ３０により、反射光量に対応したデジタル値がＣＤ−Ｒ、ＤＶＤ−Ｒの光ディスク１に適正と判断された際、半導体レーザ発振器１９の発光設定完了となる（ＳＴ１０）。
【００４７】
この後、装填されたＣＤ−Ｒ、ＤＶＤ−Ｒの光ディスク１に対する再生処理が行われる（ＳＴ１１）。この際、はじめ最高波長（７８０ｎｍ）で再生を行い、ＯＫであればＣＤ−Ｒ、再生不可の場合ＤＶＤ−Ｒなので、最高波長よりも短い波長（６５０ｎｍ）に切換えを行う。さらに再生パワーを１ｍＷに切換える。
【００４８】
上記ステップ９で反射光量に対応したデジタル値がＣＤ−Ｒ、ＤＶＤ−Ｒの光ディスク１に適正と判断されなかった際、ＣＰＵ３０は発光量コントロール回路４１の設定を切換え、誤差信号発生回路４３により、最小光量より２段階上の光量（１ｍＷ）で最高波長より短い波長（６５０ｎｍ）に半導体レーザ発振器１９の発光を設定し、この設定に応じてレーザ駆動回路４５を制御して、半導体レーザ発振器１９を駆動する（ＳＴ１２）。
【００４９】
この状態で、ＣＰＵ３０は、光学ヘッド５を移動することにより、光ディスク１の最内周に光学ヘッド５からの光ビームが照射される状態に設定し、フォーカッシング制御回路２７を制御して駆動コイル１１を励磁することにより、フォーカス引込みを行い、フォーカスがあった状態で、加算器２６ｅからＡ／Ｄ変換器３２を介して供給される反射光量に対応したデジタル値がＤＶＤ−ＲＡＭの光ディスク１に適正か否かを判断する（ＳＴ１３、１４）。
【００５０】
ＣＰＵ３０により、反射光量に対応したデジタル値がＣＤの光ディスク１に適正と判断された際、半導体レーザ発振器１９の発光設定完了となる（ＳＴ１５）。
【００５１】
この後、装填されたＤＶＤ−ＲＡＭの光ディスク１に対する再生処理が行われる（ＳＴ１６）。
上記ステップ１４で反射光量に対応したデジタル値がＤＶＤ−ＲＡＭの光ディスク１に適正と判断されなかった際、ＣＰＵ３０はエラー処理となり、光ディスク１を装置より排出する動作となる。
【００５２】
上記したように、種々の光ディスクを扱うものにおいて、扱える光ディスクのうち、最も光量設定の低いものから順に光量を大きくして半導体レーザ発振器からレーザ光を発光させることにより、この種々の光ディスクに対する光量設定を行うようにしたものである。
【００５３】
すなわち、最初に、最も光量設定の低い状態で半導体レーザ発振器からレーザ光を発光させることにより得られる光ディスクの反射光量によりＣＤ、ＣＤ−ＲＯＭ、ＤＶＤ−ＲＯＭの光ディスクに適正か否かを判断し、適正と判断されなかった場合に、最も光量設定の低いものから１段階上の光量設定を行い、この状態で半導体レーザ発振器からレーザ光を発光させることにより得られる光ディスクの反射光量によりＣＤ−Ｒ、ＤＶＤ−Ｒの光ディスクに適正か否かを判断し、適正と判断されなかった場合に、最も光量設定の低いものから１段階上の光量設定を行い、この状態で半導体レーザ発振器からレーザ光を発光させることにより得られる光ディスクの反射光量によりＤＶＤ−ＲＡＭの光ディスクに適正か否かを判断するようにしたものである。
【００５４】
これにより、特別なセンサを用いずとも、装着された光ディスクに対して、適正値以上の光量を光ディスクに照射することが避けられ、光ディスク上のデータ（情報）を破壊する恐れがなくなる。
【００５５】
また、ＤＶＤの光ディスクとＣＤの光ディスクをチェックする際に、波長を変更しているため、波長依存性も考慮されている。
また、上記例では、反射光量により光ディスクが適正か否かを調べたが、これに限らず、光ディスクから実際にデータを読取り、データが読取れるか否かで、光ディスクが適正か否かを調べるようにしても良い。この場合、データ再生回路１８により再生されたデータで判断するようになっている。
【００５６】
また、上記例では、光学ヘッドによる光ビームが光ディスクに対してフォーカス引込みが行われた後に、その光ビームの光ディスクに対する反射光量により光ディスクが適正か否かを調べたが、これに限らず、光学ヘッドによる光ビームが光ディスクに対してフォーカス引込みが行われる前に、光ディスクからの反射光量の振幅の幅（反射率に比例している）により光ディスクが適正か否かを調べるようにしても良い。フォーカスを掛けずに行えるため、誤った設定をしても、光ディスクのデータを壊す恐れがない。
【００５７】
この場合の光ディスク１の装填時の半導体レーザ発振器１９の光量制御処理について、図４に示すフローチャートを参照しつつ説明する。
すなわち、光ディスク１が装填された際（ＳＴ２１）、ＣＰＵ３０からの切換信号により、発光量コントロール回路４１は最小光量の発光に設定され、その設定内容が発光誤差信号発生回路４３に供給される。これにより、誤差信号発生回路４３は、発光量コントロール回路４１からの設定内容に応じて、最小光量（０．３ｍＷ）で最高波長（７８０ｎｍ）に半導体レーザ発振器１９の発光を設定し、この設定に応じてレーザ駆動回路４５を制御して、半導体レーザ発振器１９を駆動する（ＳＴ２２）。
【００５８】
この状態で、ＣＰＵ３０は、光学ヘッド５を移動することにより、光ディスク１の最内周に光学ヘッド５からの光ビームが照射される状態に設定し、フォーカッシング制御回路２７を制御して駆動コイル１１を励磁し、フォーカスが外れた状態で対物レンズを上下動することにより、加算器２６ｅからＡ／Ｄ変換器３２を介して供給される反射光量に対応したデジタル値で、反射光量の振幅をチェックし、その振幅の幅がＣＤ、ＣＤ−ＲＯＭ、ＤＶＤ−ＲＯＭの光ディスク１に適正か否かを判断する（ＳＴ２３、２４）。
【００５９】
この際、光ディスク１がＲＡＭの場合、反射率は９０〜１００％でその振幅は大きく変化するものであり、光ディスク１が、ＤＶＤ−Ｒ、ＣＤ−Ｒの場合、反射率は７０％で、光ディスク１がＤＶＤ−ＲＡＭの場合、反射率は３０％でその振幅は小さく変化するものであるため、区別できるようになっている。
【００６０】
ＣＰＵ３０により、反射光量の振幅がＣＤ、ＣＤ−ＲＯＭ、ＤＶＤ−ＲＯＭの光ディスク１に適正と判断された際、半導体レーザ発振器１９の発光設定完了となり、フォーカッシング制御回路２７を制御して駆動コイル１１を励磁することにより、フォーカス引込みを行う（ＳＴ２５）。
【００６１】
この後、装填されたＣＤ、ＣＤ−ＲＯＭ、ＤＶＤ−ＲＯＭの光ディスク１に対する記録処理あるいは再生処理が行われる（ＳＴ２６）。この際、はじめ最高波長（７８０ｎｍ）で再生を行い、ＯＫであればＣＤ、ＣＤ−ＲＯＭ、再生不可の場合ＤＶＤ−ＲＯＭなので、最高波長よりも短い波長（６５０ｎｍ）に切換えを行う。さらに再生パワーを０．５ｍＷに切換える。
【００６２】
上記ステップ２４で反射光量の振幅がＣＤ、ＣＤ−ＲＯＭ、ＤＶＤ−ＲＯＭの光ディスク１に適正と判断されなかった際、ＣＰＵ３０は発光量コントロール回路４１の設定を切換え、誤差信号発生回路４３により、最小光量より１段階上の光量（０．５ｍＷ）で最高波長（７８０ｎｍ）に半導体レーザ発振器１９の発光を設定し、この設定に応じてレーザ駆動回路４５を制御して、半導体レーザ発振器１９を駆動する（ＳＴ２７）。
【００６３】
この状態で、ＣＰＵ３０は、光学ヘッド５を移動することにより、光ディスク１の最内周に光学ヘッド５からの光ビームが照射される状態に設定し、フォーカッシング制御回路２７を制御して駆動コイル１１を励磁し、フォーカスが外れた状態で対物レンズを上下動することにより、加算器２６ｅからＡ／Ｄ変換器３２を介して供給される反射光量に対応したデジタル値で、反射光量の振幅をチェックし、その振幅の幅がＣＤ−Ｒ、ＤＶＤ−Ｒの光ディスク１に適正か否かを判断する（ＳＴ２８、２９）。
【００６４】
ＣＰＵ３０により、反射光量の振幅がＣＤ−Ｒ、ＤＶＤ−Ｒの光ディスク１に適正と判断された際、半導体レーザ発振器１９の発光設定完了となり、フォーカッシング制御回路２７を制御して駆動コイル１１を励磁することにより、フォーカス引込みを行う（ＳＴ３０）。
【００６５】
この後、装填されたＣＤ−Ｒ、ＤＶＤ−Ｒの光ディスク１に対する再生処理が行われる（ＳＴ３１）。この際、はじめ最高波長（７８０ｎｍ）で再生を行い、ＯＫであればＣＤ−Ｒ、再生不可の場合ＤＶＤ−Ｒなので、最高波長よりも短い波長（６５０ｎｍ）に切換えを行う。さらに再生パワーを１ｍＷに切換える。
【００６６】
上記ステップ２９で反射光量の振幅がＣＤ−Ｒ、ＤＶＤ−Ｒの光ディスク１に適正と判断されなかった際、ＣＰＵ３０は発光量コントロール回路４１の設定を切換え、誤差信号発生回路４３により、最小光量より２段階上の光量（１ｍＷ）で最高波長より短い波長（６５０ｎｍ）に半導体レーザ発振器１９の発光を設定し、この設定に応じてレーザ駆動回路４５を制御して、半導体レーザ発振器１９を駆動する（ＳＴ３２）。
【００６７】
この状態で、ＣＰＵ３０は、光学ヘッド５を移動することにより、光ディスク１の最内周に光学ヘッド５からの光ビームが照射される状態に設定し、フォーカッシング制御回路２７を制御して駆動コイル１１を励磁し、フォーカスが外れた状態で対物レンズを上下動することにより、加算器２６ｅからＡ／Ｄ変換器３２を介して供給される反射光量に対応したデジタル値で、反射光量の振幅をチェックし、その振幅の幅がＤＶＤ−ＲＡＭの光ディスク１に適正か否かを判断する（ＳＴ３３、３４）。
【００６８】
ＣＰＵ３０により、反射光量の振幅がＤＶＤ−ＲＡＭの光ディスク１に適正と判断された際、半導体レーザ発振器１９の発光設定完了となり、フォーカッシング制御回路２７を制御して駆動コイル１１を励磁することにより、フォーカス引込みを行う（ＳＴ３５）。
【００６９】
この後、装填されたＤＶＤ−ＲＡＭの光ディスク１に対する再生処理が行われる（ＳＴ３６）。
上記ステップ３４で反射光量の振幅がＤＶＤ−ＲＡＭの光ディスク１に適正と判断されなかった際、ＣＰＵ３０はエラー処理となり、光ディスク１を装置より排出する動作となる。
【００７０】
【発明の効果】
以上詳述したように、この発明によれば、特別なセンサを用いずとも、装着された光ディスクに対して、適正値以上の光量が光ディスクに照射することが避けられ、光ディスク上のデータを破壊する恐れをなくすことができる光ディスク装置を提供できる。
【図面の簡単な説明】
【図１】この発明の光ディスク装置の概略構成を示すブロック図。
【図２】レーザ制御回路の概略構成を示すブロック図。
【図３】半導体レーザ発振器の光量制御処理を説明するためのフローチャート。
【図４】半導体レーザ発振器の光量制御処理を説明するためのフローチャート。
【符号の説明】
１…光ディスク
５…光学ヘッド
６…リニアモータ
１０…対物レンズ
１１、１２…駆動コイル
１３…レーザ制御回路
１９…半導体レーザ発振器
２４…光検出器
３０…ＣＰＵ
３２…Ａ／Ｄ変換器
【図１】
0003691894.tif 000002
【図２】
0003691894.tif 000003
【図３】
0003691894.tif 000004
【図４】
0003691894.tif 000005